(57)【特許請求の範囲】
【請求項１】
電話機本体と別個にモニターを有するモニター付き携帯電話機であって、
前記電話機本体は、前記モニターに表示させる画像の切り替えを行う表示設定回路と、モニター表示用データを出力するための、表示モードにもとづく送信手段とを有し、前記モニターに前記モニター表示用データの送信を行い、
前記表示設定回路が、備え付けモニター用表示データとダウンロードした表示データのいずれを前記モニターに表示させるかの表示モードの設定を、前記表示モードにもとづく送信手段に対して行い、
前記電話機本体と前記モニターをフレキシブルチューブで着脱可能に連結し、このフレキシブルチューブ内に接続ケーブルを通した
ことを特徴とするモニター付き携帯電話機。
【請求項２】
前記モニターのサイズが、前記電話機本体の備え付けモニターのサイズ以上であって、かつ、前記電話機本体の２．５倍以内のサイズである
ことを特徴とする請求項１記載のモニター付き携帯電話機。
【請求項３】
前記モニターが、スピーカーを有する
ことを特徴とする請求項１又は２記載のモニター付き携帯電話機。
【請求項４】
前記モニターが、記憶装置を有する
ことを特徴とする請求項１〜３のいずれかに記載のモニター付き携帯電話機。
【請求項５】
前記電話機本体が、前記モニターと無線により接続される
ことを特徴とする請求項１〜４のいずれかに記載のモニター付き携帯電話機。
【請求項６】
前記モニターが、めがね型である
ことを特徴とする請求項１〜５のいずれかに記載のモニター付き携帯電話機。
【発明の詳細な説明】
【０００１】
【発明の属する技術分野】
本発明は、携帯電話機が備え付けモニターに表示するデータ又はダウンロードした表示用データを本体と別個の携帯用のモニターに送信することにより、備え付けモニターより大きな画面に表示させるモニター付き携帯電話機に関する。
【０００２】
【従来の技術】
近年、携帯電話が社会に急速に普及するとともに、その機能も高度化し、多様化している。現在の携帯電話機には、時計機能、電話帳機能をはじめ、メール、インターネット、ゲーム、カラオケ、位置情報表示等ができるものも多い。
しかし、携帯電話機に備え付けられているモニターのサイズは、携帯電話機の形状から大きくすることに限界がある。このため、携帯電話機に表示される情報が増大化、高度化及び微細化してきた現在においては、携帯電話機に備え付けられたモニターによる表示では、相対的に満足のいくものではなくなってきている。
【０００３】
これに対して、携帯電話機の液晶を高細密化するとともに、画面自体もできる限り大きなものとしたり、あるいはカラー化するなどして、より見易い画面表示の実現が追求されている。
このような努力によって、携帯電話機の画面表示は次第に高度なものとなってきているが、携帯電話が本質的に有するその携帯性故に、画面サイズの拡大には限界があり、また、画面表示を細密化しても、高齢者などをはじめ、視力の弱い人にとっては、十分に見やすいものでない場合が多くあった。
【０００４】
【発明が解決しようとする課題】
一方、このような問題に対して、携帯電話機の備え付けモニターの機能を高度化するのではなく、携帯電話機の画面表示を他の装置に代行させることによって、見易くしようとする試みがなされている。
例えば、特開２０００−１１５７３２号公報には、携帯型テレビ電話に、ＵＳＢ端子をもたせ、パソコンなどとのデータの送受信を可能としたものが開示されている。
【０００５】
この携帯型テレビ電話を用いれば、パソコンなどに接続されたディスプレイによって、画像を見ることができるとともに、携帯型テレビ電話に保存された情報をパソコンなどに転送することも可能となる。
しかし、これは携帯性を意図するものではなく、携帯時に満足のいくサイズの画像表示を得ることのできるものではなかった。
【０００６】
また、特開２０００−２３１２４号公報に開示される無線通信装置を用いれば、ビデオカメラで捕らえた映像をこの無線通信装置にケーブル接続されたモニターに映し出すことができる。
すなわち、２台の無線通信装置を用いて、一方をビデオカメラに接続し、他方をモニターに接続して、ビデオカメラで捕らえた映像をこれら２台の無線通信装置を通じて送信することにより、モニターに表示することができる。
そして、無線通信装置としては、ＰＨＳなどが用いられているが、この場合は、ＰＨＳに備え付けのモニターに表示するためのデータや、ダウンロードした表示用データを、その無線通信装置に接続されたモニターに表示させるものではなかった。
【０００７】
さらに、特開２００１−４５１１９号公報にも、携帯電話機と別体にすることの可能な備え付けモニターに画像表示を行わせる携帯電話装置が開示されているが、これは携帯電話機本体を耳元にあてがった状態でもディスプレイ装置を見ることができるように工夫されたものであり、備え付けモニターを携帯電話機本体に収納可能とするものであるため、やはり十分な画面サイズの得られるものではなかった。
このような状況において、今後さらに携帯電話の機能が充実した場合、携帯電話機をパソコンの代わりや、テレビの代わりに所有する人も増えると予想され、携帯性に優れ、かつ十分な画面サイズを得ることのできる携帯電話用のモニター付き携帯電話機の提供が望まれていた。
【０００８】
本発明は、上記の事情にかんがみなされたものであり、従来のような携帯電話機の画面表示についての不都合を解消し、視力の弱い人でも容易に携帯電話機に表示されたものを見ることができるとともに、携帯電話機にダウンロードした情報も見易く表示させることの可能なモニター付き携帯電話機の提供を目的とする。
【０００９】
【課題を解決するための手段】
上記目的を達成するため、本発明の請求項１記載のモニター付き携帯電話機は、電話機本体と別個にモニターを有するモニター付き携帯電話機であって、前記電話機本体は、前記モニターに表示させる画像の切り替えを行う表示設定回路と、モニター表示用データを出力するための、表示モードにもとづく送信手段とを有し、前記モニターに前記モニター表示用データの送信を行い、前記表示設定回路が、備え付けモニター用表示データとダウンロードした表示データのいずれを前記モニターに表示させるかの表示モードの設定を、前記表示モードにもとづく送信手段に対して行い、前記電話機本体と前記モニターをフレキシブルチューブで着脱可能に連結し、このフレキシブルチューブ内に接続ケーブルを通した構成としてある。
【００１０】
モニター付き携帯電話機をこのような構成にすれば、携帯電話機に備え付けられたモニターに表示されたものを、電話機本体とは別個の携帯用のモニターに表示させることによって、大きく表示させることができる。
現在、携帯電話を用いてメールやゲーム等を行う人が増えているが、このようなモニター（以下、簡易モニターと称する場合がある。）を利用すれば、それらを一層快適に行うことが可能となる。
【００１１】
また、携帯電話機の備え付けモニターは、画面サイズが小さく、表示情報も細かいサイズであることが多いため、老眼の人などは携帯電話の利用を敬遠しがちであるが、このようなモニター付き携帯電話機を用いれば、簡易モニターに情報を大きく表示することができるため、老眼の人なども快適に携帯電話を利用することが可能となる。
【００１３】
さらに、モニター付き携帯電話機をこのような構成にすれば、簡易モニターに表示させるデータとして、携帯電話機の備え付けモニター用表示データとダウンロードした表示データを切り替えることができ、それぞれのデータを簡易モニターに表示させることができる。
【００１４】
これによって、携帯電話機でダウンロードしたデータも、簡易モニターに大きく表示することができ、携帯電話をテレビの代用として利用することも可能となる。
今後、携帯電話を利用した映像や動画の配信が一層普及すると予想されているが、本発明によって、これらの視聴を快適に行うことが可能となる。
【００１５】
なお、備え付けモニター用表示データ及びダウンロードした表示用データは、文字情報であっても、あるいは画像情報や動画情報等であってもかまわない。
また、これらに音声情報が付加されていても、あるいは音声情報が主であって、文字情報が付加されている様なデータであってもかまわない。この音声情報とは、音楽や音、人の声等の情報のことである。
これらについては、以下においても同様である。
また、モニター付き携帯電話機をこのような構成にすれば、フレキシブルチューブの曲げ具合を調整することにより、モニターを任意の位置に固定することができる。
このようにすると、電話機本体を片手で保持することによってモニターをも保持することが可能となり、モニター付き携帯電話機の操作性を優れたものにすることができる。
【００１６】
本発明の請求項２記載のモニター付き携帯電話機は、前記モニターのサイズが、前記電話機本体の備え付けモニターのサイズ以上であって、かつ、前記電話機本体の２．５倍以内のサイズである構成としてある。
ここにいうサイズとは、携帯電話機の表面積の大きさのことである。そして、モニター付き携帯電話機をこのような構成にすれば、簡易モニターをスーツや、ワイシャツの胸ポケットに入れて持ち運ぶことができるため、携帯電話とともに、簡易モニターも容易に携帯することが可能となる。
このため、このモニター付き携帯電話機の利用者は、必要に応じていつでもこの携帯電話を用いて、大きな画面で、メールやゲーム、あるいはＴＶの視聴等を行うことが可能となる。
【００１７】
本発明の請求項３記載のモニター付き携帯電話機は、前記モニターが、スピーカーを有する構成としてある。
モニター付き携帯電話機をこのような構成にすれば、簡易モニターは、モニター付き携帯電話機から受信した情報を単に画面に表示させるのみならず、音声情報を受信した場合には、これをスピーカーから出力することが可能となる。
これによって、モニター付き携帯電話機から音声情報を含む映像や動画等が送信されてきた場合に、これらを音声付きで簡易モニターから出力することが可能となる。
【００１８】
本発明の請求項４記載のモニター付き携帯電話機は、前記モニターが、記憶装置を有する構成としてある。
モニター付き携帯電話機をこのような構成にすれば、この携帯電話機から簡易モニターに送信した情報を、簡易モニターの記憶装置に保存させることが可能となる。
これにより、簡易モニターにおいて保存された情報を、後で表示させたり、視聴したくなった場合に、その保存情報を呼び出して、それらを行うことが可能となる。
【００１９】
本発明の請求項５記載のモニター付き携帯電話機は、前記電話機本体が、前記モニターと無線により接続される構成としてある。
モニター付き携帯電話機をこのような構成にすれば、この携帯電話機と簡易モニターをケーブルにより接続した場合の、取り扱いの煩わしさから解放され、これらの操作性を向上させることが可能となる。
【００２０】
本発明の請求項６記載のモニター付き携帯電話機は、前記モニターが、めがね型である構成としてある。
モニター付き携帯電話機をこのような構成にすれば、この携帯電話の利用者は、簡易モニターを、めがねを使用する場合の様に頭部に装着することによって、表示データを視聴することができる。
これによって、例えば、モニター付き携帯電話機からテレビや映画などの動画情報が、簡易モニターに送信された場合には、長時間の視聴であっても、これを快適に行うことが可能となる。
【００２２】
【発明の実施の形態】
以下、本発明の実施形態につき、図面を参照して説明する。
［第一実施形態］
まず、本発明の第一実施形態について、図１を参照して説明する。同図は、本実施形態における簡易モニター付き携帯電話の構成を示すブロック図である。
【００２３】
同図に示すように、電話機本体１００は、送話器１０１、受話器１０２、通信回路１０３、ダイヤル回路１０４、ダイヤルボタン１０４ａ、着信回路１０５、スピーカー１０６、モニター１０７、アンテナ１０８、モニター表示回路１０９、表示設定回路１１０、セレクター（表示モードにもとづく送信手段）１１１及び出力Ｉ／Ｆ１１２を有している。
【００２４】
表示設定回路１１０は、簡易モニター２００に送信するデータの切り替えを行うための表示モードの設定を、セレクター１１１に対して行う。
また、モニター表示回路１０９から、備え付けモニター用表示データを入力し、セレクター１１１に出力するとともに、アンテナ１０８から受信したダウンロードデータをセレクター１１１に出力する。
【００２５】
セレクター１１１は、表示設定回路１１０から上記情報を入力するとともに、表示モードの設定を受け、この設定に適切な情報、すなわち、備え付けモニター表示用データ又はダウンロードデータのいずれかを出力Ｉ／Ｆ１１２を経由して、簡易モニター２００に送信する。
【００２６】
なお、送話器１０１は、電話機本体１００の利用者側の音声を通話先に送信するための装置であり、受話器１０２は、通話先から受信した音声を出力する装置であって、これらは、通信回路１０３により制御される。
【００２７】
また、ダイヤル回路１０４は、ダイヤルボタン１０４ａが押されたときに、どのダイヤルボタン１０４ａが押されたかを検出し、その信号を相手先電話番号として、アンテナ１０８から交換機に発信する。
さらに、ダイヤル回路１０４は、押されたボタンや、その組み合わせによって、モニターに表示させる情報を切り替えたり、音量調節やアラームなどの各種機能をコントロールするとともに、表示設定回路１１０からセレクター１１１に対して、表示モードの切り替えを行わせることができる。
【００２８】
着信回路１０５は、アンテナ１０８を介して着信信号を受信すると、スピーカー１０６から着信音を出力する。
なお、簡易モニター付き携帯電話に振動装置をもたせて、着信時に振動を行わせるようにしてもよい。
モニター１０７は、モニター表示回路１０９の制御によって、発信情報、着信情報、アラーム情報等の画面表示を行う。
【００２９】
次に、簡易モニター２００は、入力Ｉ／Ｆ２０１、モニター表示回路２０２及びモニター２０３を有する。
入力Ｉ／Ｆ２０１は、電話機本体１００の出力Ｉ／Ｆ１１２を経由して送信されてきた情報を受け取り、モニター表示回路２０２へ出力する。
そして、このモニター表示回路２０２は、モニター２０３へ受信情報を出力し、モニター２０３は、これを表示する。
【００３０】
この簡易モニター２００のモニター２０３の大きさは、携帯電話の備え付けモニターのサイズよりも大きなものである。
特に、簡易モニター２００は、携帯性を備えた上で、大きな画面を表示することが望ましいため、そのサイズは、携帯電話機の表面積の２．５倍程度の大きさであることが好ましい。
簡易モニター２００をこのようなサイズにすることによって、スーツやワイシャツ等の胸ポケット、あるいはカバンなどに入れて持ち運ぶことが可能となり、携帯性において優れたものとすることができる。
【００３１】
簡易モニター２００は、以上のように非常に単純な構成をしているため、利用者は、例えば電源のオンオフ程度の簡単な操作のみによって、誰でも簡単に使用することができる。
また、その製造コストも低く抑えることができるため、例えば、形や色のバリエーションを変えた簡易モニターを大量に生産することなどにより、この簡易モニターの購入コストに比較して、大きな利益を利用者に提供することが可能となる。
ケーブル３００は、出力Ｉ／Ｆ１１２と入力Ｉ／Ｆ２０１に接続され、電話機本体１００から簡易モニター２００への情報を伝達する。
【００３２】
次に、モニター付き携帯電話機における処理手順について、図２を参照して説明する。
同図は、本実施形態の電話機本体から簡易モニターに情報を送信し、表示させる処理手順を示す動作手順図である。
【００３３】
まず、はじめに電話機本体１００と簡易モニター２００を接続する（ステップ１０）。
この接続は、ケーブル３００を用いて行うが、無線により接続するようにしてもよい。
次に、表示モードの選択を行う（ステップ１１）。このとき、簡易モニターに何も表示させない場合は、そのまま終了する。
【００３４】
備え付けモニター用表示データを、簡易モニターに表示させたい場合には、ダイヤルボタン１０４ａを用いて、対応するモードを選択あるいは入力することにより、表示設定回路１１０が、セレクター１１１に対して、この表示モードの設定を行う。
【００３５】
そして、表示設定回路１１０は、セレクター１１１に備え付けモニター用表示データを出力し、これをセレクター１１１が、出力Ｉ／Ｆ１１２を介して、簡易モニター２００に送信する。
このようにすることにより、備え付けモニター用表示データを、簡易モニター２００に表示させる（ステップ１２）。
【００３６】
図３は、この備え付けモニター用表示データを簡易モニター２００に表示させた状態を示す図である。
このような電話機本体１００と、簡易モニター２００を用いることによって、備え付けモニターに表示される情報を簡易モニター２００に拡大表示させることが可能となる。
なお、その利用形態によっては、単に拡大表示させるのみならず、備え付けモニターの複数画面分の情報を一度に表示させる様な表示方法を取ったり、あるいはこれらを組合せたり、その表示方法を選択可能としたりすることも好ましい。
【００３７】
次に、ダウンロードした表示データを簡易モニター２００に表示させたい場合には、備え付けモニター用表示データを表示させる場合と同様に、これに対応するモードを、ダイヤルボタン１０４ａを操作することによって入力する。
これにより、この入力情報がダイヤル回路１０４の制御を受けて、表示設定回路１１０に伝えられ、表示設定回路１１０がセレクター１１１に、この表示モードの設定を行う。
【００３８】
そして、ダイヤルボタン１０４ａによって、ダウンロードデータ及びそのダウンロード先が設定され（ステップ１３）、この設定された情報にもとづき、ダイヤル回路１０４により、アンテナ１０８を経由して、その要求が通信先に送信される。
このダウンロード先とは、そのダウンロードデータなどのコンテンツを提供するＷｅｂサーバなどのアドレスなどの情報であり、このダウンロードの設定とは、そのコンテンツ情報などを指定することを意味する。
【００３９】
そして、ダウンロード成否の判断が行われ（ステップ１４）、ダウンロードが成功した場合には、この受信データは、表示設定回路１１０に伝達され、さらにセレクター１１１、出力Ｉ／Ｆ１１２を経由して、簡易モニター２００に送信され、そのモニター２０３に表示される。
【００４０】
また、ダウンロードが失敗した場合には、再度ダウンロードが実行される。あるいは、エラー処理を行って終了させるようにしてもかまわない。
動画情報を表示する場合には、ダウンロードデータを電話機本体１００から、繰り返し簡易モニター２００に出力し、表示させることができる。
なお、以下に示す第二実施形態におけるように、簡易モニター２００が記憶装置を有する場合には、ダウンロードデータをまとめて簡易モニター２００に送信して保存し、動画表示させることもできる。
【００４１】
図４は、このダウンロード用表示データを簡易モニター２００に表示させた場合の状態を表わす図である。
このような電話機本体１００と、簡易モニター２００を用いることによって、ダウンロードした表示用データを簡易モニター２００に拡大表示させることが可能となる。
【００４２】
［第二実施形態］
次に、本発明の第二実施形態につき、図５を参照して説明する。同図は、本実施形態のモニター付き携帯電話機の構成を示すブロック図である。
本実施形態は、第一実施形態と比較して、簡易モニターが、スピーカー及び記憶装置を有する点で相違する。
【００４３】
まず、電話機本体１００及びケーブル３００は、第一実施形態におけるものと同様の構成及び機能を有する。
簡易モニター２００は、第一実施形態における構成に加え、スピーカー２０４、音声出力回路２０５、処理部２０６及び記憶部２０７を有する。
スピーカー２０４は、電話機本体１００から送信されてきた音声情報を、音声出力回路２０５の制御により出力する。
【００４４】
また、処理部２０６は、電話機本体１００から受信したデータを、記憶部２０７に保存させる。
この保存処理は、電話機本体１００のダイヤルボタン１０４ａから入力された情報を、簡易モニター２００に送信させ、これにもとづいて、処理部２０６に行わせるようにしてもよいし、簡易モニター２００自体に、受信情報の保存指示を与えるための入力装置等を設置し、この情報にもとづいて、処理部２０６に行わせるようにしてもかまわない。
【００４５】
これらの構成を用いることにより、第一実施形態における処理手順に従って、備え付けモニター用表示データ、あるいはダウンロードした表示データを簡易モニター２００に送信した場合に、これらの情報が音声情報を含むものである場合には、これを出力することが可能となる。
また、簡易モニター２００から送信されてきたデータを保存したい場合には、これを記憶部２０７に保存することも可能となる。
【００４６】
このとき、この簡易モニター２００における保存情報を、電話機本体１００に送信可能とし、簡易モニター２００を電話機本体１００の外部記憶装置として利用可能とすることも好ましい。この場合、出力Ｉ／Ｆ１１２及び入力Ｉ／Ｆ２０１は、共に入出力Ｉ／Ｆの役割を果たす。
【００４７】
そして、記憶部２０７に保存されたデータを、ケーブル３００を介して電話機本体１００に送信するとともに、モニター表示回路１０９、あるいは他に設けた記憶部に保存し、電話機本体１００において適宜利用可能とすることが好ましい。
このような利用が行われる保存情報としては、例えば、着信メロディ、壁紙、電話帳、メール等がある。
【００４８】
さらに、この簡易モニター２００の形態を、めがね型とすることも好ましい。簡易モニター２００をこのような形態にすることによって、利用者は、めがねを使用する場合と同様に、頭部にこの簡易モニター２００を装着することによって、受信した情報を視聴することが可能となる。
これによって、例えば、テレビや映画等の情報を視聴する場合などに、一層利便性の高いものとなる。
【００４９】
［第三実施形態］
次に、本発明の第三実施形態につき、図６を参照して説明する。同図は、電話機本体と簡易モニターをフレキシブルチューブにより接続する構成を示す図である。
本実施形態は、他の実施形態と比較して、電話機本体１００と簡易モニター２００をフレキシブルチューブ３０１により接続し、このフレキシブルチューブ３０１内に接続ケーブル３００を保持する点で相違する。
他の構成及びその機能については、第一実施形態又は第二実施形態と同様である。
【００５０】
本実施形態のフレキシブルチューブ３０１は、既存の任意のものを用いることができる。図６において、フレキシブルチューブ３０１は節のあるものとなっているが、節のないものであってもかまわない。
このフレキシブルチューブ３０１によって、電話機本体１００と簡易モニター２００の相対的位置を固定することができ、このモニター付き携帯電話機の利用者は、片手で容易にこれらを保持することが可能となる。
【００５１】
通常のケーブルを使用する場合には、電話機本体とモニターとを両手で保持しながら操作しなければならない場合が生ずるが、フレキシブルチューブ３０１を用いるとこのようなことがなく、一層操作性が高く、携帯性に優れたモニター付き携帯電話機を提供することが可能となる。
【００５２】
なお、本発明は以上の実施形態に限定されるものではなく、例えば、本発明の電話機本体１００の機能を固定電話に応用し、固定電話によりダウンロードした情報を簡易モニターに出力させて視聴可能とするなど、適宜設計変更できるものである。
【００５３】
【発明の効果】
以上のように、本発明によれば、携帯電話機に備え付けられたモニターに表示されたものを、簡易モニターに大きく表示することができる。
これによって、携帯電話機を用いてメールやゲーム等を行う場合に、携帯性を損なうことなく、かつ、大きな画面で、快適に行うことが可能となる。
また、視力の弱い人であっても、容易に携帯電話機に表示される情報を見ることができ、老眼の人など、携帯電話を敬遠しがちな人でも、快適に利用することが可能となる。
【００５４】
さらに、携帯電話機によりダウンロードしたデータを、大きく表示することができるため携帯電話機をテレビの代用品としても利用することが可能となる。
近年、携帯電話を利用した動画配信なども急速に進歩しており、今後さらに普及すると考えられるが、このような動画を視聴する際には、本発明のような簡易モニターを用いることによって、一層快適に視聴することが可能となる。
【００５５】
また、本発明における簡易モニターは、その構成が単純であるため、操作が容易で、誰でも簡単に使用することができるとともに、製造コストも低く抑えることができるため、購入費用に比較して、大きな利益を利用者に提供することが可能となる。
【図面の簡単な説明】
【図１】本発明の第一実施形態の、モニター付き携帯電話機の構成を示すブロック図である。
【図２】本発明の第一実施形態の、モニター付き携帯電話機における動作を示す動作手順図である。
【図３】本発明の各実施形態の、備え付けモニター用表示データの簡易モニターへの表示を示す図である。
【図４】本発明の各実施形態の、ダウンロードした表示データの簡易モニターへの表示を示す図である。
【図５】本発明の第二実施形態の、モニター付き携帯電話機の構成を示すブロック図である。
【図６】本発明の第三実施形態の、電話機本体と簡易モニターをフレキシブルチューブにより接続する構成を示す図である。
【符号の説明】
１００  電話機本体
１０１  送話器
１０２  受話器
１０３  通信回路
１０４  ダイヤル回路
１０４ａ  ダイヤルボタン
１０５  着信回路
１０６  スピーカー
１０７  モニター
１０８  アンテナ
１０９  モニター表示回路
１１０  表示設定回路
１１１  セレクター
１１２  出力Ｉ／Ｆ
２００  簡易モニター
２０１  入力Ｉ／Ｆ
２０２  モニター表示回路
２０３  モニター
２０４  スピーカー
２０５  音声出力回路
２０６  処理部
２０７  記憶部
３００  ケーブル
３０１  フレキシブルチューブ
【図１】
0003653025.tif 000002
【図２】
0003653025.tif 000003
【図３】
0003653025.tif 000004
【図４】
0003653025.tif 000005
【図５】
0003653025.tif 000006
【図６】
0003653025.tif 000007